(57)【要約】      （修正有）【課題】たばこの副流煙、呼出煙の速やかで確実な排煙が可能な、ホテル・旅館のロビー、飲食店、遊技場等人がくつろぐ場所での喫煙を楽しむことが出来、又喫煙による健康被害を抑えることが出来る排煙装置を提供する。【解決手段】副流煙は、排気用送風機１と主管２、副流煙排出器３、副流煙を吸引する為の枝管４を設け、灰皿に置いたたばこから発する煙を、フィルター５から枝管４、主管２に導き、戸外へ排出する。呼出煙は、排気用送風機１と主管２、枝管７と繋がった呼出煙排出器６を備え、ノズル８に向け喫煙者が煙を吐き、排気用枝管７により主管２に導き、戸外へ排出する。【選択図】図１
2018197642.tif 000002
【特許請求の範囲】
【請求項１】
たばこの副流煙を、排気用送風機に管で接続した、たばこの火元直近で収集する副流煙排出器で収集し、戸外へ排出することを特徴とするたばこ用の排煙装置。
【請求項２】
たばこの呼出煙を、喫煙者が排気用送風機と管で接続した呼出煙排出器に向けて吐き出し、該送風機で戸外へ排出することを特徴とするたばこ用の排煙装置。
【請求項３】
排気用送風機と接続する主管に複数の枝管を設け、一つの送風機で複数のたばこ排煙器を使用することにより、広い区域の排煙が出来ることを特徴とするたばこ用の排煙装置。
【発明の詳細な説明】
【技術分野】
【０００１】  室内におけるたばこの排煙に関する技術
【背景技術】
【０００２】  喫煙による健康被害の内、副流煙による喫煙を希望しない者のいわゆる受動喫煙による被害が多く発生している。【０００３】  我が国でたばこの副流煙が原因と思われる死者は年間約１５，０００人で交通事故死者役４，０００人を大きく上回っており、大きな社会問題となっている。【０００４】  たばこの煙は、ガス状の物質の中に直径０．４ナノメートル前後の無数の微粒子が浮遊している事から、ガス成分と粒子成分に分けることが出来、その中の化学物質は分かっているだけで４，０００種類以上に及ぶと言われている。【０００５】  ガス成分には、一酸化炭素、二酸化炭素、窒素酸化物、アンモニア、ニトロソアミン、シアン化水素、硫黄化合物、炭化水素、アルデヒド類、ケトン類などが含まれている。【０００６】  粒子成分は水、ニコチン及びタールからなり、タール中には発がん性のある種々の多環状芳香族炭化水素のほか、フェノール、ベンゼン、ナフタリン、金属イオン等が含まれている。【０００７】  煙の粒子は直径が０．４ナノメートル前後の為、落下速度が極めて遅く、空中に留まる時間が長く在室者が有害物質の吸引を長時間強いられる状況となっている。
【発明の開示】
【発明が解決しようとする課題】
【０００８】  室内における喫煙は、喫煙者の呼出煙と副流煙の拡散による健康被害が社会的問題となっている。特に副流煙には多くの有害物質が存在しており、非喫煙者が被害を受ける状態となっている。【０００９】  喫煙者はフィルター通して吸うことが多いが、副流煙はそのまま室内に排出される為、有害物質の濃度が薄められることなく排出される。【００１０】    喫煙を希望するものにとっては、社会的に不自由を強いられ、また社会の悪者として評価されようとしている。【００１１】  たばこによる健康被害を最小限に抑え、愛煙家と非愛煙家が共に共存し、お互いを尊重し合って、穏やかで自由な社会環境を作ることが望まれる。【００１２】  ホテル、旅館のロビー、飲食店、遊技場等人がくつろぐ場所での喫煙が望まれており、技術上の問題が解決できれば、喫煙の自由度は高まり、経済効果も期待できる。
又、家庭内の喫煙も自由にできるようになる。【００１３】  拡散した煙を捕え、分離、浄化するには広範囲の空気を動かし、大量の空気を処理しなければならず、大掛かりな装置と大きなエネルギーを必要とする、又大量の空気を動かすと室内の温熱対策や気流対策が必要となり、更に大きなエネルギーの損失となる。
【課題を解決するための手段】
【００１４】  以上の目的を達成するためには、たばこの副流煙、呼出煙、を的確に排気する装置を開発し設置する事により解決する。【００１５】  たばこの副流煙、呼出煙、を拡散する前に排気処理する装置を開発する事により、小さな設備と小さなエネルギーで解決する。【００１６】  たばこの煙は軽い為、火元付近で移動するには大きな力は必要とせず、排煙装置の構造を改良する事により拡散を防止することができる。【００１７】  副流煙排出器には側壁を設けて煙の拡散を防止し、煙が上昇して速やかに排出口に向かう構造とした。【００１８】  副流煙は排気用送風機に連結した主管に、灰皿を兼ねた副流煙排出器に、煙を移動する為の枝管を設け、灰皿に置いたたばこの火元から発する煙を、副流煙排出器から枝管、主管、換気扇に導き、戸外へ排出する。【００１９】  呼出煙は排気用送風機に連結した主管、枝管と繋がったノズルに向け、喫煙者が煙を吐き、排気用枝管により主管に導き、戸外へ排出する。
【発明の効果】
【００２０】  本発明により、たばこの煙を速やかに居住空間より排出することにより、喫煙ブースのみの喫煙から解放され、ホテル、旅館のロビー、飲食店、遊技場等人がくつろぐ場所での喫煙が可能となり、喫煙者と非喫煙者の共存と、相互理解を深め自由を損なうことのない社会生活が期待される。【００２１】  大掛かりな機材や大きなエネルギーを必要とせず、たばこの排煙が出来、施設管理の負担の軽減が図られる。【００２２】  たばこの煙を速やかに排出することにより、室内の汚染を防ぎ、清掃等の建物メンテナンスを軽減して、環境衛生の向上と共に利用者の健康増進に貢献できるものである。
【発明を実施する為の最良の形態】
【実施例】
【００２３】  以下、本発明の実施の形態を図１から図３に基づいて説明する。【００２４】  図１において、▲１▼は排気用送風機、▲２▼は主管で、▲４▼の枝管１と▲３▼の副流煙排出器により副流煙を、▲７▼の枝管２と▲６▼の呼出煙排出器により呼出煙をそれぞれ排出する構造の図である。【００２５】  図において▲３▼は副流煙排出器で、下部は灰皿で、灰皿に載せたたばこの煙は上昇し装置の上部に達し、設置したフィルターを通り、該装置内部の排気管を介して▲４▼の枝管から▲２▼の本管に導かれる。【００２６】  本管▲２▼は▲１▼の排気用送風機により負圧となっており、副流煙及び呼出煙の速やかな排出が出来る。【００２７】  ▲６▼は呼出煙排出器でベースプレートと▲８▼の排気管▲９▼のノズル▲１０▼のフィルターで構成されている。【００２８】  喫煙者は、体内に入った煙を口から空中へ排出する時、▲９▼のノズルへ吹きかけると、▲１０▼のフィルター、▲８▼の排気管、▲７▼の枝管を通り▲２▼の主管へと導かれ戸外へ排気される。【００２９】  図１は副流煙、呼出煙の一人分の図であるが、利用者分の枝管と副流煙排出器及び呼出煙排出器を設置することにより、室内の空気の汚染を防ぐことが出来る。【００３０】  本発明により、たばこの煙を排出元で処理が出来るもので、小さな装置、小資源、小エネルギーで確実なたばこの煙の処理が出来、愛煙家にとっても、嫌煙家にととっても朗報であり、互いに融和のある社会が期待されものである。
【図面の簡単な説明】
【００３１】
【図１】  本発明の装置全体を説明する図である。
【図２】  本発明の副流煙排出器（灰皿を兼ねる）の図面である。
【図３】  本発明の呼出煙吸引装置の図面である。
【符号の説明】  ▲１▼  排気用送風機
▲２▼  主管
▲３▼  副流煙排出器
▲４▼  枝管１
▲５▼  フィルター１
▲６▼  呼出煙排出器
▲７▼  枝管２
▲８▼  呼出煙排気ノズル
▲９▼  フィルター２
【図１】
2018197642.tif 000003
【図２】
2018197642.tif 000004
【図３】
2018197642.tif 000005